(57)【要約】【課題】  ヘッドホン単体で音が頭外の側面から前方部分に定位する感覚が得られるヘッドホンを提供する。【解決手段】  バッフル板（４）に対しドライブユニット（７）を傾斜して設置し、音孔（２）の外部が振動板（１）の前面側に面した構造を成し、音孔（２）の外部に近接して設置した反射板（３）が振動板（１）の表面の空間の一部を覆う形状であることを特徴とし、ヘッドホンと耳介により覆われた空間内部において、耳介後方部分で強調して位相干渉現象による消音効果を得ることで、耳介後方部分の音が消滅した音響効果によりヘッドホンの音が頭外の側面から前方部分に定位する感覚が得られることを特徴とする。【選択図】図１
2019165420.tif 000002
【特許請求の範囲】
【請求項１】
バッフル板（４）に対しドライブユニット（７）を傾斜して設置し、音孔（２）の外部が振動板（１）の前面側に面した構造を成し、音孔（２）の外部に近接して設置した反射板（３）が振動板（１）の表面の空間の一部を覆う形状であることを特徴とするヘッドホン。
【請求項２】
ヘッドホンと耳介により覆われた空間内部において、耳介後方部分で強調して位相干渉現象による消音効果を得ることで、耳介後方部分の音が消滅した音響効果によりヘッドホンの音が頭外の側面から前方部分に定位する感覚が得られることを特徴とする請求項１に記載のヘッドホン。
【発明の詳細な説明】
【技術分野】
【０００１】  この発明はヘッドホンに関するもので、ヘッドホン単体において音像が頭外の側面から前方部分に定位する特徴を有するものである。
【背景技術】
【０００２】  通常のヘッドホンにおいては、音像の中心部分付近の音が頭の中で定位して聞こえる頭内定位感のため、音の臨場感が損なわれて不自然さを感じる欠点があった。【０００３】  従来は、ヘッドホンの音の広がり感を得て頭内定位感を軽減する手段として、ドライブユニットの振動板の前面と反対面の音とをバッフル板に設けられた音孔を通じて音響的に接続して位相干渉効果を得る方法があった。【０００４】  バッフル板に設けられた音孔を通じて音を音響的に接続し、振動板の両面の音の位相干渉効果を得るための方法で、音響的な反射板（以下「反射板」という。）を設置して頭外の側面から前方部分に音の定位感を得るヘッドホンはなかった。
【先行技術文献】
【特許文献】
【０００５】
【特許文献１】特開平６−１１３３８４号広報
【発明の概要】
【発明が解決しようとする課題】
【０００６】  従来のドライブユニットの振動板の前面と反対面の音とを、単にバッフル板に設けられた音孔を通じて音響的に接続し位相干渉効果を得る方法では、ヘッドホンと耳介により覆われた空間内部において振動板から直接放射される音圧が強すぎるために、音孔から放射される振動板の逆位相音が空間内部で位相干渉する場合において、空間部分内で干渉度合いを部分的に区分された状態で認識することが困難であり、頭外の側面から前方部分で定位する音像が認識されにくい欠点があった。
本発明は以上のような欠点を改善するためになされたものである。
【課題を解決するための手段】
【０００７】  バッフル板（４）に対しドライブユニット（７）を傾斜して設置し、音孔（２）の外部が振動板（１）の前面側に面する構造を成し、音孔（２）の外部に近接して反射板（３）を設置することを最大の特徴とする。【０００８】  ヘッドホンと耳介により覆われた空間内部において、耳介に対し反射板（３）によって振動板（１）の表面から放射される直接音の一部を反射させて抑制し、音孔（２）から放射される振動板（１）の逆位相音を反射板（３）の外部表面で反射し拡散させ、耳介後方部分に逆位相音を放射することで、それぞれの位相音が空間内部で位相干渉部分において前後に偏りを生じさせ、空間内部で位相干渉部分が前後に区分された状態で認識される音響空間を得る。
【発明の効果】
【０００９】  ヘッドホンの音が頭外の側面から前方部分に定位する感覚が明確に認識され、頭内定位も解消される効果によって、従来のヘッドホンの音よりも側面から前方に広がり感のある音像となるため、より自然な臨場感が得られる。
【図面の簡単な説明】
【００１０】
【図１】  本発明の斜視図である。
【図２】  本発明の断面図である。
【発明を実施するための形態】
【００１１】  以下、本発明を実施するための形態について説明する。
第１図は本発明の一実施例に係るヘッドホンを示すものであって、右耳装着用部分の形状を示した斜視図であり、提供されるヘッドホンは左右一対と成る。
【００１２】  バッフル板（４）に対しドライブユニット（７）を傾斜して設置し、音孔（２）の外部が振動板（１）の前面側に面した構造を成し、音孔（２）の外部に近接して設置した反射板（３）が振動板（１）の表面の空間の一部を覆う形状を成す。
【００１３】  反射板（３）により、振動板（１）の前面の一部が覆われて音が反射され、耳介に対して放射される直接音の一部が抑制されることで、耳介方向に対し振動板（１）の前面の強い音圧によって、音孔（２）の外部から放射される前面の音圧よりも弱い逆位相が打ち消されて聞こえづらくなることを防止する効果がある。
【００１４】  音孔（２）の外部から放射される振動板（１）の逆位相音は、反射板（３）の外部表面で音が反射し拡散されて耳介に達するため、ヘッドホンと耳介により覆われた空間内部において、反射板（３）を境に振動板（１）の前面の音に対し音孔（２）の外部から放射される逆位相音が反射板（３）の表面部分で仕切られて認識されることで、それぞれの位相音が空間内部で位相干渉する空間が前後方向で偏りを生じ、前後に区分された位相干渉部分を認識できる音響空間が得られる。
【００１５】  バッフル板（４）に対しドライブユニット（７）を傾斜して設置し、音孔（２）をバッフル板（４）の前面側に形成されるように設置することで、反射板（３）の設置傾斜角度が低角度であっても耳介側後部に向けて音を反射し拡散するために有効な角度が得られる利点がある。
【００１６】  ヘッドホン装着時には反射板（３）が振動板（１）の表面の空間を覆っている先端部分を耳介中心部分に近接して装着できるため、ヘッドホンと耳介により覆われた空間内部において、反射板（３）を境に発生するおける音の前後方向への干渉度合いの偏りを耳介側で明確に認識しやすくなる効果がある。
【００１７】  音孔（２）と反射板（３）はヘッドホンの後方部分に位置して設置してあり、音孔（２）から放射される振動板（１）の逆位相音を耳介後方部分に集中して放射させることにより、耳介後方部分で強調して位相干渉現象による消音効果を得る。
【００１８】  耳介後方部分で強調して位相干渉現象による消音効果を得ることで、ヘッドホンと耳介により覆われた空間内部で音の頭内定位感が解消され、後方の音が消滅した音響効果によりヘッドホンの音が頭外の側面から前方部分に定位する感覚が得られる効果がある。
【００１９】  ヘッドホンの音が頭外の側面から前方部分に定位する感覚が得られるため、従来のヘッドホンの音よりも前方に広がり感のある音像が得られ、より自然な感覚となり臨場感が増す効果がある。
【００２０】  特殊な音電気信号加工による音像定位処理なしで、ヘッドホン単体で頭外の側面から前方部分に定位する感覚が得られる特徴を有するため、パソコンやスマートホンなどヘッドホンを接続できる様々な機器に直接接続して使用できる利点がある。
【００２１】  反射板（３）は振動板（１）の表面の空間の一部を覆う形状であるため、振動板（１）に保護カバーを設置する場合などにおいては反射板（３）と保護カバーとを一体成型して設置しても良い。
【符号の説明】
【００２２】    １  振動板
２  音孔
３  反射板
４  バッフル板
５  ハウジング
６  イヤーパッド
７  ドライブユニット
８  音孔
【図１】
2019165420.tif 000003
【図２】
2019165420.tif 000004